(57)【要約】【課題】軟弱地盤を改良する工法において、残土が発生せず、かつ簡単な作業で十分な許容支持力及び地耐力を得ることができるようにする。【解決手段】圧入部材８０を表土２０の上方から押し込むことにより路盤１０中に圧入させ、その後、引き抜くことにより路盤１０及び表土２０に円錐状のコンクリート充填孔３０を形成する。コンクリート充填孔３０の中央において鉄筋５０を路盤１０に埋め込むことにより固定する。表土２０の所定個所にサイコロブロック７０を配置し、このサイコロブロック７０に載置した状態でメッシュ金網６０を載置する。鉄筋５０の上端をメッシュ金網６０に固着する。表土２０の上方から、生コンクリートを打設し、固化させてコンクリート体４０を形成する。【選択図】        図１
2004169485.tif 000002
【特許請求の範囲】
【請求項１】
圧入部材を表土を介して路盤まで圧入してコンクリート充填孔を形成する充填孔形成工程と、この充填孔形成工程で形成されたコンクリート充填孔及び表土にコンクリートを打設するコンクリート打設工程とを有することを特徴とする地盤改良工法。
【発明の詳細な説明】
【０００１】
【発明の属する技術分野】
本発明は、軟弱な粘性土地盤の敷地整備工事における地盤改良工法に関し、さらに詳しくは、戴荷構造物の荷重がそれほど大きくない敷地整備工事に好適な地盤改良工法に関するものである。
【０００２】
【従来の技術】
軟弱な粘性土地盤、例えば水田に敷地整備工事を施す際、表土部分の不同沈下等が懸念される。したがって、一般的に、構造物底面の地盤改良、例えば、表土を取り除き、クラッシャランに置き換えることが行なわれていた。
【０００３】
また、軟弱地盤を改良する手段として、先端部が円錐状の柱状体を軟弱地盤中に圧入した後、柱状体を引き抜くことによって形成された柱状空所内に補強材を充填せしめて先端部が円錐状となった補強柱を形成した後、軟弱地盤の表層部、補強柱の上部部位を含んで、所定の根入れ深さにおいて除去せしめ、次いで上部部位の除去された補強柱上に少なくとも一部が位置するようにして、所定の基礎を設け、さらにその後、軟弱地盤を埋め戻して基礎の基部を地盤内に埋入せしめる基礎工法が提案されている（例えば、特許文献１参照）。
【０００４】
【特許文献１】
特許第２９２７６１２号公報（図２、３等）
【０００５】
【発明が解決しようとする課題】
しかしながら、上述した従来のクラッシャランに置き換える等の地盤改良方法は、表土部分を取り除くので、その残土を処分しなければならず後処理が面倒であり、また環境破壊を招くものであり、さらに工事費が増加するものであった。
【０００６】
また、特許文献１で提案されている基礎工法は、補強柱の上部に基礎を載置してあるだけであり、補強柱と基礎とが別体であるので水平方向の力に対しては弱いものであった。さらに、軟弱地盤の表層部を一旦除去し、その後埋め戻すものであるので、作業工程が多くなり、その結果、工事期間が長く、かつ工事費が増加するものであった。
【０００７】
本発明は、以上の問題点を解決し、残土が発生せず、かつ簡単な作業で十分な許容支持力及び地耐力を得ることができる地盤改良工法を提供することを目的とする。
【０００８】
【課題を解決するための手段】
本発明による地盤改良工法は、圧入部材を表土を介して路盤まで圧入してコンクリート充填孔を形成する充填孔形成工程と、この充填孔形成工程で形成されたコンクリート充填孔及び表土にコンクリートを打設するコンクリート打設工程とを有することを特徴として構成されている。
【０００９】
本発明による地盤改良工法においては、圧入部材を路盤に圧入させる。圧入部材が周囲の路盤を押し広げるように押圧しながら入り込んで行くので、路盤は圧縮されて地耐力が向上している。また、コンクリート充填孔及び表土上にコンクリートを打設するので、コンクリート充填孔に形成された突出部と、表土上に形成された平面部とが一体となり、極めて大きい許容支持力を得ている。さらに、突出部が路盤内部に埋設されるので、路盤との摩擦が大きく、また、応力を分散させる。
【００１０】
【発明の実施の形態】
本発明の地盤改良工法においては、圧入部材を表土を介して路盤まで圧入してコンクリート充填孔を形成する。この圧入部材は、円錐状、角錐状、円柱状等、特に限定されることは無いが、円錐状又は角錐状に形成することが好ましい。円錐状又は角錐状に形成することにより、圧入部材を容易に圧入するすることができ、さらに、周囲の路盤を均等に押圧するので、円錐状に形成することがより好ましい。また、円錐状又は角錐状に形成する場合、先端部分のみを円錐状又は角錐状に形成し、その他の部分を円柱状又は角柱状に形成してもよい。さらに、先端部分を球状に形成することもできる。
【００１１】
圧入部材は、地盤の状態によって適宜最適な寸法、形状のものを使用することができる、例えば、高さが約５００ｍｍ、底面の直径が３００ｍｍのものを使用することができる。また、高さと、底面の直径との比、すなわち円錐の頂点の角度も適宜変更して最適なものを使用する。また、路盤の状況に応じて、コンクリート充填孔の数及びコンクリート充填孔間の長さを適宜変更する。圧入部材を圧入する手段としては、特に限定されないが、バックホーの油圧ブレーカ部に取り付けて、油圧で圧入することが好ましい。
【００１２】
また、充填孔形成工程の後に鉄筋配設工程を設けることが好ましい。すなわち、前記充填孔形成工程で形成された充填孔の中心において表土から突出した状態で鉄筋を固定するとともに、表土から上方に位置するように補強部材を設け、前記鉄筋の上部と補強部材を固着することが好ましい。このように鉄筋及び補強部材を設けることにより、より一層強度を向上させることができる。補強部材としては、例えば、メッシュ金網、鉄筋を格子状に配置したものを用いることができる。
【００１３】
本発明による地盤改良工法は、許容支持力に対して構造物の荷重が過大でない限り各種構造物に利用することができるが、構造物の荷重がそれほど大きくない敷地整備工事等において好適に利用することができ、例えば、鉄塔の構築に好適である。
【００１４】
本発明による地盤改良工法の一実施形態を図面を参照して説明する。
【００１５】
まず、本発明による地盤改良工法で形成した改良した地盤の構造について、図１及び図２を参照して説明する。
【００１６】
図１は改良した地盤の断面図、図２は改良した地盤の平面図である。
【００１７】
図１において、１０は不同沈下しない路盤で、この路盤１０の上面に表土２０が積層されており、これら路盤１０及び表土２０には、円錐状のコンクリート充填孔３０が形成されている。そして、表土２０の上面にコンクリートが打設されてコンクリート体４０が形成されており、このコンクリート体４０はコンクリート充填孔３０に充填された突出部４１と、表土２０上に打設された平面部４２とが一体に構成されている。
【００１８】
突出部４１には、略中央において垂直方向に鉄筋５０が設けられており、また、平面部４２には、略中央において水平方向に補強部材としてのメッシュ金網６０が設けられている。前記鉄筋５０はその下部が路盤１０に埋め込まれて固定され、また、メッシュ金網６０は表土２０に載置した複数のサイコロブロック７０上に載置されており、そして、鉄筋５０の上部がメッシュ金網６０の交差部分に固着されている。
【００１９】
次に、上述したような改良した地盤を形成する地盤改良工法について、図３〜７を参照して説明する。
【００２０】
図３はコンクリート充填孔を形成するために使用する圧入部材の斜視図、図４〜７は地盤改良工法の各工程を示す敷地端部における断面図である。
【００２１】
以下、地盤改良工法の各工程について説明する。
【００２２】
［表土表面処理工程］
まず、敷地の草刈をし、その後プレートランマを用いて表面を均す。なお、草根の残りを剥ぎ取る必要がある場合は、５ｃｍ程度表土と共に剥ぎ取り、搬出する。
【００２３】
［やり方設置工程］
充填孔位置及び敷地コンクリートレベル、敷地境界位置用のやり方を設置する。
【００２４】
［充填孔形成工程］
図３に示すような圧入部材８０を用いてコンクリート充填孔３０を形成する。この圧入部材８０は円錐状の本体８１と、本体８１の底面側に突出して設けられた取り付け軸８２とからなっている。そして、図４に示すように、取り付け軸８２をミニバックホーの油圧ブレーカ部９０に取り付け、本体８１を表土２０の上方から押し込むことにより路盤１０中に圧入させ、その後、引き抜くことにより路盤１０及び表土２０に円錐状のコンクリート充填孔３０が形成される。この本体８１の圧入により、路盤１０は圧縮されて地耐力が向上している。
【００２５】
［敷地境界部型枠設置工程］
図５に示すように、敷地境界部を掘削して溝１００を形成するとともに、溝１００の略中央部に型枠１１０を設置する。また、この型枠１１０の上端１１１は、コンクリート体４０の平面部４２の上端面と一致するように設定され、さらに、型枠１１０の内側側面１１２が、敷地の境界線と一致するように設定されている。
【００２６】
［鉄筋配設工程］
図６に示すように、コンクリート充填孔３０の中央において鉄筋５０を路盤１０に埋め込むことにより固定し、その先端が表土２０より突出した状態にする。また、表土２０の所定個所にサイコロブロック７０を配置し、このサイコロブロック７０に載置した状態でメッシュ金網６０を載置する。メッシュ金網６０のラップは１０ｃｍ以上としている。そして、鉄筋５０の上端をメッシュ金網６０に固着し、鉄筋５０とメッシュ金網６０とを一体に固定する。
［コンクリート打設工程］
図７に示すように、表土２０の上方から、型枠１１０の上端面と一致するまで生コンクリートを打設し、固化させてコンクリート体４０を形成する。
【００２７】
［後処理工程］
型枠１１０を除去した後、溝１００の埋め戻しを行なう。
【００２８】
【発明の効果】
本発明は以上のように構成したので、以下に記載する効果を有する。
（１）従来の地盤改良法のように表土部分をクラッシャラン等に置き換える必要がないので、残土が発生するのを可能な限り防止することができ、また環境破壊を防止することができる。
（２）極めて簡単な作業で行なえるので、作業期間を短縮することができ、また工事を安価にすることができる。
（３）十分な許容支持力及び地耐力を得ることができる。
【図面の簡単な説明】
【図１】本発明による地盤改良工法の一実施形態で改良した地盤の断面図である。
【図２】本発明による地盤改良工法の一実施形態で改良した地盤の平面図である。
【図３】本発明による地盤改良工法の一実施形態に使用する圧入部材の斜視図である。
【図４】本発明による地盤改良工法の一実施形態の充填孔形成工程を示す図である。
【図５】本発明による地盤改良工法の一実施形態の敷地境界部型枠設置工程を示す図である。
【図６】本発明による地盤改良工法の一実施形態の鉄筋配設工程を示す図である。
【図７】本発明による地盤改良工法の一実施形態のコンクリート打設工程を示す図である。
【符号の説明】
１０は路盤、２０は表土、３０はコンクリート充填孔、４０はコンクリート体、５０は鉄筋、６０はメッシュ金網（補強部材）、７０はサイコロブロック、８０は圧入部材、９０はバックホーの油圧ブレーカ部、１００は溝、１１０は型枠である。
【図１】
2004169485.tif 000003
【図２】
2004169485.tif 000004
【図３】
2004169485.tif 000005
【図４】
2004169485.tif 000006
【図５】
2004169485.tif 000007
【図６】
2004169485.tif 000008
【図７】
2004169485.tif 000009